(57)【要約】【課題】入力映像信号を表示する際、２Ｄ映像と、３Ｄ映像とのそれぞれの映像特性に合った映像信号処理を施すことが出来る映像再生装置を提供する。【解決手段】映像信号を３次元形式または２次元形式で再生する映像再生装置であって、映像信号に対してノイズリダクション処理（以下、ＮＲ処理と称す）するＮＲ処理部と、映像信号の再生形式を２次元形式または３次元形式に設定する設定部と、前記ＮＲ処理部は、３次元形式に設定して映像信号を再生するときにノイズリダクション処理する場合、同じ映像信号を２次元形式で再生するときにＮＲ処理する場合よりも強くＮＲ処理する。【選択図】図１
2012089962.tif 000002
【特許請求の範囲】
【請求項１】
映像信号を３次元形式または２次元形式で再生する映像再生装置であって、
映像信号に対してノイズリダクション処理（以下、ＮＲ処理と称す）するＮＲ処理部と、
映像信号の再生形式を２次元形式または３次元形式に設定する設定部と、
前記ＮＲ処理部は、３次元形式に設定して映像信号を再生するときにノイズリダクション処理する場合、同じ映像信号を２次元形式で再生するときにＮＲ処理する場合よりも強くＮＲ処理する映像再生装置。
【請求項２】
前記ＮＲ処理部は、ＮＲ処理の強度が異なる複数のノイズリダクションモード（以下、ＮＲモードと称す）を有し、
各ＮＲモードは、映像信号を２次元形式で再生する際に第１の強度でＮＲ処理するモード（以下、２次元モードと称す）および映像信号を３次元形式で再生する際に第１の強度よりも強い第２の強度でＮＲ処理するモード（以下、３次元モードと称す）を備える請求項１に記載の映像再生装置。
【請求項３】
第１のＮＲモードが備える３次元モードのＮＲ処理の強度は、当該第１のＮＲモードに設定されるＮＲ処理の強度よりも強い第２のＮＲモードが備える２次元モードのＮＲ処理の強度よりも弱い請求項２に記載の映像再生装置。
【請求項４】
前記ＮＲ処理部は、複数のノイズリダクションモード（以下、ＮＲモードと称す）を有し、
さらに前記ＮＲ処理部は、再生形式が２次元形式から３次元形式に変更された場合、２次元形式におけるＮＲモードよりもＮＲ処理の強度が強いＮＲモードに変更する請求項１に記載の映像再生装置。
【請求項５】
前記ＮＲ処理部は、前記映像信号を３次元形式で再生するときにＮＲ処理をＯＦＦからＯＮにする請求項１に記載の映像再生装置。
【請求項６】
前記ＮＲ処理部は、ノイズリダクション処理の強度が異なる複数のノイズリダクションモード（以下、ＮＲモードと称す）を有し、
さらに前記ＮＲ処理部は、ＮＲ処理をＯＮにした場合、前記複数のＮＲモードのうちＮＲ処理の強度が最も弱いＮＲモードを設定する請求項５に記載の映像再生装置。
【発明の詳細な説明】
【技術分野】
【０００１】
本発明は、３Ｄ映像または、２Ｄ映像を表示する映像再生装置、映像再生方法に関する。
【背景技術】
【０００２】
従来、３Ｄ映像を符号化する方式として、様々な方式が提案されている。ここで、第１視点の映像信号（以下、第１視点映像信号と称す）と、当該第１視点とは異なる第２視点の映像信号（以下、第２視点映像信号と称す）で構成された映像信号を３Ｄ映像と称す。第１視点映像信号と第２視点映像信号は、いずれか一方が右目用の映像信号で、もう一方が左目用の映像信号である。また、第１視点の映像信号のみで構成された映像信号を２Ｄ映像と称す。
【０００３】
３Ｄ映像を符号化する方式の一例としては、第１視点映像信号について、２Ｄ映像と同様の方式で符号化し、第２視点映像信号について、同時刻の第１視点映像信号のピクチャを参照ピクチャとして動き補償を行う方式が提案されている（以下、視差補償方式と称す）。この方式は、２Ｄ映像を符号化した場合と比べて、第１視点映像信号と第２視点映像信号の解像度を下げることなく符号化できるというメリットがある。
【０００４】
また、その他の一例としては、第１視点映像信号と第２視点映像信号をそれぞれ水平方向に１／２に縮小し、縮小した映像信号を左右に並べ、２Ｄ映像と同様の方式で符号化する方式が提案されている（以下、サイドバイサイド方式と称す）。この場合、符号化ストリームのヘッダ情報に３Ｄ映像であるということを示す情報を追加することにより、２Ｄ映像の符号化ストリームと、３Ｄ映像の符号化ストリームを判別する。
【０００５】
従来の特許文献１には、手前の画像（視差大）の量子化値を小さくし、奥の方の画像（視差小）の量子化値を大きくするように各量子化値を計算する符号化装置が記載されている。
【先行技術文献】
【特許文献】
【０００６】
【特許文献１】特開平６−１１３３３４号公報
【発明の概要】
【発明が解決しようとする課題】
【０００７】
ところで、左右の映像間で垂直のずれや、傾きのずれ、あるいは大きさのずれといった、両眼で知覚する情報に大きな差異がある３Ｄ映像を視聴すると、視聴者にとっては３Ｄ映像として認識し辛くなることが知られている。圧縮符号化により圧縮歪みを伴った３Ｄ映像を視聴する場合、ブロックノイズやモスキートノイズなどの符号化歪みの表れ方が左右の映像で異なる。このため、認知的な矛盾が生じ、圧縮歪みのない映像よりも、疲労しやすいという課題が発生する。
【０００８】
デジタル放送では、映像信号を圧縮符号化したストリームを放送し、受信機側でストリームを圧縮復号することにより、映像信号を表示再生する。放送されるストリームのビットレートは地上波デジタル放送やＢＳ放送などの形態によって異なるが、音楽番組やスポーツ番組などの映像を符号化したストリームは、ニュース番組やアニメ番組などの映像を符号化したストリームよりも、量子化幅の高くなるシーンが多くなる。
【０００９】
このような量子化幅の高くなるシーンでは、圧縮歪みが発生することにより、画質が劣化する。その結果、ユーザが３Ｄ映像として認識し辛くなるといった課題があった。
【００１０】
本発明はかかる問題を解決するためになされたものであり、入力映像信号を表示する際、２Ｄ映像と、３Ｄ映像とのそれぞれの映像特性に合った映像処理を施すことが出来る映像再生装置の提供を目的とする。
【課題を解決するための手段】
【００１１】
上記の課題解決するために、本発明の映像再生装置は、映像信号を３次元形式または２次元形式で再生する映像再生装置であって、映像信号に対してノイズリダクション処理（以下、ＮＲ処理と称す）するＮＲ処理部と、映像信号の再生形式を２次元形式または３次元形式に設定する設定部と、前記ＮＲ処理部は、３次元形式に設定して映像信号を再生するときにノイズリダクション処理する場合、同じ映像信号を２次元形式で再生するときにＮＲ処理する場合よりも強くＮＲ処理する。
【００１２】
このようにすれば、映像信号を３次元形式で再生する場合と、２次元形式で再生する場合とでNR処理の強度を変更することが出来る。特に、同じ映像信号を再生する場合、２次元形式で再生する場合に比べて３次元形式で再生する場合のほうがNR処理の強度を強くすることが出来る。これにより、NR処理を行っている２次元形式で再生している映像信号を３次元形式の再生に変更したとしても、違和感なく映像信号を３次元形式で認識することが可能となる。
【００１３】
また好ましくは、前記ＮＲ処理部は、ＮＲ処理の強度が異なる複数のノイズリダクションモード（以下、ＮＲモードと称す）を有し、各ＮＲモードは、映像信号を２次元形式で再生する際に第１の強度でＮＲ処理するモード（以下、２次元モードと称す）および映像信号を３次元形式で再生する際に第１の強度よりも強い第２の強度でＮＲ処理するモード（以下、３次元モードと称す）を備える。
【００１４】
このようにすれば、映像信号を表示する際、ユーザは段階的にNR処理の強度を変更することが出来る。さらに、各モードにおいて、同じ映像信号を再生する場合、２次元形式で再生する場合に比べて３次元形式で再生する場合のほうがNR処理の強度を強くすることが出来る。これにより、ユーザが映像信号を３次元形式で視聴した際に感じる違和感の程度に応じて、NR処理の強度を調整することが可能となる。
【００１５】
また好ましくは、前記複数のＮＲモードのうち第１のＮＲモードが備える３次元モードのＮＲ処理の強度は、当該第１のＮＲモードに設定されるＮＲ処理の強度よりも強い第２のＮＲモードが備える２次元モードのＮＲ処理の強度よりも弱い。
【００１６】
このようにすれば、大局的にＮＲ処理の強度を設定した後、当該設定したＮＲ処理の強度を基準に２次元形式と３次元形式とでＮＲ処理の強度を変更することが出来る。これにより、ユーザが映像信号を２次元形式から３次元形式に変更したとしても、大きく映像信号の画質を変更することなく、映像信号を３次元形式で再生することができる。
【００１７】
また好ましくは、前記ＮＲ処理部は、複数のノイズリダクションモード（以下、ＮＲモードと称す）を有し、さらに前記ＮＲ処理部は、再生形式が２次元形式から３次元形式に変更された場合、２次元形式におけるＮＲモードよりもＮＲ処理の強度が強いＮＲモードに変更する。
【００１８】
このようにすれば、ユーザは再生形式を２次元形式から３次元形式に変更するだけで、ＮＲ処理の強度を自動的に調整することが出来る。これにより、NR処理を行っている２次元形式で再生している映像信号を３次元形式の再生に変更した場合、ユーザは３次元形式に適した映像信号を自動的に視聴することが可能となる。
【００１９】
また好ましくは、前記ＮＲ処理部は、前記映像信号を３次元形式で再生するときにＮＲ処理をＯＦＦからＯＮにする。
【００２０】
このようにすれば、２次元形式でＮＲ処理がＯＦＦになっている場合であっても、３次元形式に変更した場合、ＮＲ処理をＯＮにすることができる。これにより、ユーザが映像信号を３次元形式で再生した際に初めて認識するような圧縮歪み等に対して、自動的に対応することが可能となる。
【００２１】
また好ましくは、前記ＮＲ処理部は、ノイズリダクション処理の強度が異なる複数のノイズリダクションモード（以下、ＮＲモードと称す）を有し、さらに前記ＮＲ処理部は、ＮＲ処理をＯＮにした場合、前記複数のＮＲモードのうちＮＲ処理の強度が最も弱いＮＲモードを設定する。
【００２２】
このようにすれば、ユーザが映像信号を２次元形式から３次元形式に変更したとしても、大きく映像信号の画質を変更することなく、映像信号を３次元形式で再生することができる。
【発明の効果】
【００２３】
本発明の映像再生装置によれば、入力映像信号を表示する際、２Ｄ映像と、３Ｄ映像とのそれぞれの映像特性に合った映像処理を施すことが出来る。
【図面の簡単な説明】
【００２４】
【図１】本実施形態におけるテレビ装置１の全体構成を示す図
【図２】本実施形態に係る信号処理部１０４の機能ブロック図
【図３】本実施形態に係る信号処理部１０４が実行する処理の一例を示すフローチャート
【図４】本実施形態における、ＮＲ処理部２０３が設定するＮＲの強度の一例を表した図
【図５】本実施形態における、ＮＲ処理部２０３が設定するＮＲの強度の一例を表した図
【図６】本実施形態における、テレビの設定情報を表示する一例を表した図
【発明を実施するための形態】
【００２５】
（実施形態１）
＜１．実施形態１に関して＞
＜１−１．テレビ装置とその周辺装置＞
以下、本実施形態１におけるテレビ装置１について図面を参照しながら説明する。
【００２６】
図１は、テレビ装置１の全体構成を示す図である。図１に示すように、テレビ装置１は、ＨＤＤ装置４、ＳＤカード５及び、アンテナ６と接続される。テレビ装置１は、ＢＤディスク３、ＨＤＤ装置４、ＳＤカード５及び、アンテナ６から出力される映像信号を入力する。そして、この映像信号を処理し、実際の映像として表示する。
【００２７】
また、テレビ装置１は、リモコン装置２から出力されるユーザの信号を受信する。
【００２８】
ＨＤＤ装置４は、映像信号を蓄積する記録装置である。ＨＤＤ装置４は、例えば、外付けハードディスク装置で実現できる。
【００２９】
ＳＤカード５は、映像信号を蓄積する記録媒体である。ＳＤカード５は、例えば、ＳＤカード、メモリカード等の半導体記録素子で実現することが出来る。
【００３０】
アンテナ６は、外部から送信される映像信号の受信を行う機能を有する。
【００３１】
リモコン装置２は、ユーザからの操作を受け付ける操作デバイスである。リモコン装置２は、複数の押下操作可能なボタンを有する。このボタンを操作されることにより、リモコン装置２は信号を生成する。リモコン装置２は、生成した信号を、無線を介してテレビ装置１に送信する。これによって、テレビ装置１は、ユーザの操作を検知できる。
【００３２】
＜１−２．テレビ装置の具体的構成＞
以下、テレビ装置１の具体的な構成について図面を参照しながら説明する。
【００３３】
具体的に、テレビ装置１は、図１に示すようにドライブ装置１０１と、入出力ＩＦ部１０２と、チューナ１０３と、信号処理部１０４と、受信部１０５と、バッファメモリ１０６と、フラッシュメモリ１０７と、ディスプレイ１０８、を備える。
【００３４】
ドライブ装置１０１は、ディスクトレイを備え、このディスクトレイによって収納されたＢＤディスク３から映像信号を読み出すものである。また、信号処理部１０４から映像信号が入力される場合、ディスクトレイに収納されるＢＤディスク３にこの映像信号の書込みを行なう。
【００３５】
入出力ＩＦ部１０２は、ＨＤＤ装置４及び、ＳＤカード５との接続を可能にするインターフェースである。入出力ＩＦ部１０２は、信号処理部１０４との間で、コントロール信号や映像信号のやり取りを可能にしている。入出力ＩＦ部１０２は、ＨＤＤ装置４または、ＳＤカード５から入力した入力ストリームを、信号処理部１０４に送信する。また、入出力ＩＦ部１０２は、信号処理部１０４から入力した符号化ストリームを、ＨＤＤ装置４または、ＳＤカード５に送信する。例えば、入出力ＩＦ部１０２は、ＨＤＭＩコネクタ、ＳＤカードスロット、ＵＳＢコネクタ等で実現できる。なお、図１では入出力ＩＦ１０２として一つのブロックを図示したが、ＳＤカード５用のカードスロットとＨＤＤ４用のコネクタとを備えるようにしてもよい。要するに、入出力ＩＦ部１０２は外部の記録装置とのインターフェースを実現するものであればよい。
【００３６】
チューナ１０３は、アンテナ６で受信した放送波を受信する。チューナ１０３は、信号処理部１０４によって指定された特定の周波数の映像信号を信号処理部１０４に送信する。これによって、信号処理部１０４は、放送波に含まれる特定の周波数の映像信号を処理し、ディスプレイ１０８で表示させることができる。
【００３７】
信号処理部１０４は、テレビ装置１の各部を制御する。さらに、信号処理部１０４は、入出力ＩＦ部１０２から入力された映像信号の復号化機能を有する。信号処理部１０４は、例えば、ＭＰＥＧ２符号化規格、またはＨ．２６４／ＡＶＣ符号化規格を用いて圧縮符号化された入力ストリームを復号し、復号映像を生成する。
【００３８】
また、信号処理部１０４は、復号映像を２Ｄ映像として再生する再生モード（以下、２次元モードと称す）と、復号映像を３Ｄ映像として再生する再生モード（以下、３次元モードと称す）と、を設定する機能を有する。信号処理部１０４は、２次元モードまたは３次元モードのいずれかを、リモコン装置２からの信号に基づいて設定する構成でも構わない。また、信号処理部１０４は、２次元モードまたは３次元モードのいずれかを、入力ストリームのメタ情報などに基づいて設定する構成でも構わない。
【００３９】
また、信号処理部１０４は、復号映像にノイズリダクション処理（以下、ＮＲ処理と称す）を施す機能を有する。ここで、ＮＲ処理とは、復号映像に含まれる画像の歪み等による画質劣化を低減させる映像処理を示す。ＮＲ処理は、例えば、ブロック歪みの境界にフィルタ処理を施す方法で実現できる。また、ＮＲ処理は、復号映像に対してローパスフィルタ処理を施す方法で実現できる。要するに、ＮＲ処理は、復号映像に含まれる歪みを軽減する処理であればどのような方法でも構わない。
【００４０】
さらに、信号処理部１０４は、ＮＲ処理の強度を設定する。ＮＲ処理の強度を強くするに従い、復号映像の圧縮歪みを低減させていくことができる。しかし、ＮＲ処理の強度が強くなるに従い、映像信号の解像度が低下する度合いが大きくなる。一方、ＮＲ処理の強度を弱くすると、歪みがあまり低減しないが、映像信号の解像度が低下する度合いは小さくなる。
【００４１】
また、信号処理部１０４は、ＮＲ処理の強度が異なる複数のノイズリダクションモード（以下、ＮＲモードと称す）を有する。例えば、信号処理部１０４は、ＮＲ処理の強度が大、中、小と分別された３つのＮＲモードを有する。なお、信号処理部１０４は、上記の構成に限定されるものではなく、互いにＮＲ処理の強度が異なるＮＲモードを４つ、５つ等、数種類有する構成でも構わない。
【００４２】
さらに、信号処理部１０４は、２次元モード時と、３次元モード時で異なるＮＲ処理を設定できる。例えば、３次元モード時に設定するＮＲ処理の強度を、２次元モード時に設定するＮＲ処理の強度よりも強くする。また、信号処理部１０４は、上記のように複数のＮＲモードを有する場合、それぞれのＮＲモードにおいて２次元モード時に使用するＮＲ処理の強度と、３次元モード時に使用するＮＲ処理の強度を有する。
【００４３】
このように、２次元モードの際に設定可能なＮＲ処理と、３次元モードの際に設定可能なＮＲ処理を、異なる設定とすることにより、２次元モードと３次元モードのそれぞれに適したＮＲ処理を施すことができる。例えば、上記のように３次元モード時に設定するＮＲ処理の強度を、２次元モード時に設定するＮＲ処理の強度よりも強くすることにより、圧縮歪みによって発生する３Ｄ映像視聴時に感じる違和感を低減することができる。
【００４４】
また、ＮＲ処理の強度は、リモコン装置２からの信号に基づいて設定を変更することもできる。
【００４５】
さらに、信号処理部１０４は、復号映像に、例えば、階調補正処理といった、上述のＮＲ処理以外の各種の映像処理を施し、ディスプレイ１０８で表示可能な表示信号をディスプレイ１０８に出力する。
【００４６】
信号処理部１０４は、マイクロコンピュータで構成してもよいし、ハードワイヤードな回路で構成してもよい。
【００４７】
受信部１０５は、リモコン装置２からの信号を受信して、信号処理部１０４に送信するものである。受信部１０５は、例えば、赤外線センサで実現可能である。
【００４８】
バッファメモリ１０６は、信号処理部１０４で信号処理を施す際のワークメモリとして用いられる。バッファメモリ１０６は、例えば、ＤＲＡＭで実現可能である。
【００４９】
フラッシュメモリ１０７は、信号処理部１０４が実行するプログラム等を記憶したものである。
【００５０】
ディスプレイ１０８は、信号処理部１０４から出力される表示信号を表示画面として表示する。ディスプレイ１０８は、例えば、液晶ディスプレイで実現することが可能である。
【００５１】
＜１−２−１．信号処理部１０４＞
次に、信号処理部１０４の具体的な構成について図面を参照しながら説明する。以下、説明の便宜上、信号処理部１０４では、２次元モードまたは３次元モードのいずれかを、リモコン装置２からの信号に基づいて設定する構成を説明する。
【００５２】
図２は、本実施形態に係る信号処理部１０４の機能ブロック図である。
【００５３】
図２に示すように、信号処理部１０４は、制御部２０１と、再生処理部２０２と、ＮＲ処理部２０３と、画面生成部２０４を備える。なお、図２は、便宜上、チューナ１０３から入力されたストリームを処理する場合の例を示したものである。したがって、再生処理部２０２に入力される信号は、チューナ１０３で受信した信号である。ここでの説明は便宜上、以上の通りにしたが、再生処理部２０２に入力される信号は入出力ＩＦ部１０２やドライブ装置１０１からの信号であっても構わない。
【００５４】
制御部２０１は、信号処理部１０４全体の動作を制御する。制御部２０１は、例えば、受信部１０５から２次元モードまたは３次元モードの指示を受けた場合、その指示にしたがって２次元モードまたは３次元モードを設定する。また、制御部２０１は、例えば、受信部１０５から、ＮＲ処理の強度設定といったテレビ装置１の設定情報を表示する指示を受けた場合、その指示にしたがって画面生成部２０４に画面を表示させる。
【００５５】
再生処理部２０２は、制御部２０１の制御情報に基づいて、入力ストリームを復号して復号映像を生成する。例えば、再生処理部２０２は、制御部２０１から２次元モードを示す制御情報が通知された場合、入力ストリームを復号し、２次元の復号映像をＮＲ処理部２０３に出力する。また、再生処理部２０２は、制御部２０１から３次元モードを示す制御情報が通知された場合、入力ストリームを復号し、３次元の復号映像をＮＲ処理部２０３に出力する。なお、再生処理部２０２はドライブ装置１０１から入力される入力ストリームを復号化し、復号映像を生成してもよい。また、入出力ＩＦ部１０２を、ＨＤＭＩコネクタで実装する構成とした場合、圧縮符号化されたストリームとは異なる非圧縮の映像信号が入力される。この場合、再生処理部２０２は復号処理を行わず、入力された非圧縮の映像信号を、そのままＮＲ処理部２０３に出力する。
【００５６】
ＮＲ処理部２０３は、制御部２０１の制御情報に基づいて、再生処理部が生成した復号映像に対してＮＲ処理を行う。例えば、ＮＲ処理部２０３は、制御部２０１から２次元モードを示す制御情報が通知された場合、復号映像を２Ｄ映像としてＮＲ処理を行う。また、ＮＲ処理部２０３は、制御部２０１から３次元モードを示す制御情報が通知された場合、復号映像を３Ｄ映像としてＮＲ処理を行う。ＮＲ処理部２０３は、ＮＲ処理して得られる映像信号を、画面生成部２０４に出力する。
【００５７】
画面生成部２０４は、制御部２０１の制御情報に基づいて、ＮＲ処理部２０３が出力した映像信号などをディスプレイ１０８に表示する画面を生成する。また、画面生成部２０４は、制御部２０１からの制御情報に基づいて、生成する画面を２次元モードとするか、３次元モードとするかを決定する。
【００５８】
＜１−３．動作フロー＞
次に、信号処理部１０４が行う入力ストリームの再生動作について図面を参照しながら説明する。なお、説明の便宜上、信号処理部１０４は、チューナ１０３を介して放送波が受信し、それを処理してディスプレイ１０８に表示するとする。
【００５９】
図３は、本実施形態に係る信号処理部１０４が、２次元モードから３次元モードに変更する場合に、実行する処理の一例を示すフローチャートである。
【００６０】
なお、ステップＳ３０１はユーザがリモコン装置２を操作して実施する処理ステップであり、ステップＳ３０２、ステップＳ３０３、ステップＳ３０４、ステップＳ３０５、ステップＳ３０６、ステップＳ３０７、ステップＳ３０８はテレビ装置１が実施する処理ステップである。
【００６１】
リモコン装置２は、ユーザの操作を受け付け、２次元モードか３次元モードか（以下、表示モードと称す）を示す信号を受信部１０５へ送信する（Ｓ３０１）。このとき、ユーザは、例えば、表示モードを選択可能な画面を表示したディスプレイ１０８を見ながら、リモコン装置２を操作し、画面に表示されるカーソルを用いて表示モードを指定する。このとき、ユーザは、リモコン装置２の決定ボタンを押下操作する。リモコン装置２は、決定ボタンが押下操作されると、選択信号を受信部１０５へ送信する。
【００６２】
制御部２０１は、受信部１０５を経由して選択信号を受信する（Ｓ３０２）。そして、制御部２０１は、選択信号に基づいて、２次元モードか３次元モードかを判断する（Ｓ３０３）。３次元モードが設定された場合、Ｓ３０４、Ｓ３０５に移行する。一方、２次元モードに設定した場合、Ｓ３０６、Ｓ３０７に移行する。
【００６３】
２次元モードと設定した場合（ステップＳ３０３のＮｏの場合）、再生処理部２０２は、入力ストリームを復号し、２次元の復号映像を生成する（Ｓ３０６）。そして、ＮＲ処理部２０３は、復号映像を２次元モード時のＮＲ処理を行う（Ｓ３０７）。
【００６４】
一方、３次元モードと設定した場合（ステップＳ３０３のＹｅｓの場合）、再生処理部２０２は、入力ストリームを復号し、３次元の復号映像を生成する（Ｓ３０４）。そして、ＮＲ処理部２０３は、復号映像を３次元モード時のＮＲ処理を行う（Ｓ３０５）。
【００６５】
最後に、画面生成部２０４は、制御部２０１から得た情報に基づいて、ＮＲ処理部が出力した映像信号を画面表示する（Ｓ３０８）。
【００６６】
ここで、Ｓ３０５およびＳ３０７において、２次元モード時と、３次元モード時では、ＮＲ処理において実行する処理が異なる。より具体的には、３次元モード時に設定するＮＲ処理の強度を、２次元モード時に設定するＮＲ処理の強度よりも強くする。このようにＮＲ処理を行うことにより、圧縮歪みによって発生する３Ｄ映像視聴時に感じる違和感を低減することができる。
【００６７】
なお、ＮＲ処理部２０３は、ＮＲ処理の動作・強度が異なる複数のＮＲモードの中から、選択するように構成してもよい。例えば、ユーザは、基本となる３種類のＮＲモードを選択できるように構成する。この場合、第１のＮＲモードはＮＲ処理の強度が小、第２のＮＲモードはＮＲ処理の強度が中、第３のＮＲモードはＮＲ処理の強度が大と設定される。さらに、各ＮＲモードには、２次元モード時の強度と、３次元モード時の強度が別々に設定される。つまり、図４のように６パターンのＮＲモードが選択的に適用される。図中のＡ、Ｂ、Ｃ、Ｄ、Ｅ、Ｆは各６パターンのＮＲモードの強度である。ここで、第１のＮＲモードは強度小、第２のＮＲモードは強度中、第３のＮＲモードは強度大と設定されるため、強度の大小関係はＡ＜Ｃ＜Ｅ、Ｂ＜Ｄ＜Ｆとなる。また、３次元モード時に設定するＮＲ処理の強度を、２次元モード時に設定するＮＲ処理の強度よりも強くするため、強度の大小関係はＡ＜Ｂ、Ｃ＜Ｄ、Ｅ＜Ｆとなる。
【００６８】
なお、Ａ＜Ｂ＜Ｃ＜Ｄ＜Ｅ＜ＦとなるようにＮＲモードの強度を設定してもよい。この場合、例えば、３次元モード時の第１のＮＲモードの強度は、２次元モード時の第２のＮＲモードの強度よりも小さく設定される。
【００６９】
また、Ａ＜Ｃ＜Ｅ＜Ｂ＜Ｄ＜ＦとなるようにＮＲモードの強度を設定してもよい。この場合、３次元モード時の任意のＮＲモードの強度は、２次元モード時の任意のＮＲモードの強度よりも大きく設定される。
【００７０】
ここで、ユーザは、例えば図６のように、リモコン装置２を操作して、ＮＲモードなどの設定情報をディスプレイに表示させることにより、現在選択されているＮＲモードが、第１のＮＲモードであるか、第２のＮＲモードであるか、第３のＮＲモードであるかを確認することができる。つまり、ユーザは、ディスプレイに表示された設定情報からは、強度Ａと強度Ｂ、強度Ａと強度Ｂ、強度Ｅと強度Ｆの設定差を判別することができない。なお、ディスプレイに表示される設定情報は、ＮＲモードの種類（第１のＮＲモードか、第２のＮＲモードか、第３のＮＲモードか）だけであってもよい。また、ＮＲ処理の強度を調整するパラメータを複数設定可能な場合は、各パラメータを表示してもよい。さらには、例えばコントラストといった、ＮＲ処理以外のディスプレイの設定情報を同時に表示してもよい。
【００７１】
なお、ユーザは、リモコン装置２を操作することにより、３種類のＮＲモードを変更することもできる。また、ユーザによって変更された設定は、リモコン装置２を操作することにより、ユーザが設定変更を行う以前の初期設定に戻すことが可能である。なお、モードを変更する構成とするのではなく、ＮＲ処理の強度を設定するパラメータをユーザが独立に設定可能である構成としてもよい。
【００７２】
また、ＮＲ処理部２０３は、例えば、図５のように、２次元モードと３次元モードで用意されるＮＲモードを共通化し、３パターンのＮＲモードが選択的に適用されるように構成してもよい。この場合、例えば、２次元モード時に第１のＮＲモードが選択されていたとすると、３次元モード時には第２、もしくは第３のＮＲモードが選択される。ユーザは、ＮＲモードなどの設定情報をディスプレイに表示させることにより、第１のモードであるか、第２のモードであるか、第３のモードであるかを知ることができるため、２次元モードと、３次元モードで異なるＮＲモードを選択していることを明示的に判別することができる。また、この場合、ＮＲ処理部２０３が２次元モード時に第１のＮＲモードが選択されているとすると、３次元モード時には第１のＮＲモードはそのままで、ＮＲ処理の強度のみを変更する構成にしても構わない。この構成においてユーザは、２次元モードおよび３次元モードであっても、ディスプレイ上で第１のＮＲモードが設定されているのが確認できる。しかし、復号信号に適用するＮＲ処理の強度は２次元モードが設定されている場合よりも３次元モードが設定されている場合のほうが強くなる。
【００７３】
また、２次元モード時はＮＲ処理をオフにし、３次元モード時のみＮＲ処理をオンにする構成としてもよい。この場合、３次元モード時のＮＲ処理の強度は、例えば、設定可能な強度のうち、最も弱い設定としてもよいし、その他の設定であってもよい。
【００７４】
また、３次元モード時のＮＲ処理において、第１視点映像信号に対して実行するＮＲ処理と、第２視点映像信号に対して実行するＮＲ処理で、設定するＮＲ処理の強度を変えてもよい。例えば、第１視点映像信号に対して実行するＮＲ処理の強度についてのみ、２次元モード時に設定するＮＲ処理の強度よりも強くし、第２視点映像信号に対して実行するＮＲ処理の強度については、２次元モード時に設定するＮＲ処理と同等の設定としてもよい。
【００７５】
なお、３次元モードで設定可能なＮＲの設定を、必ずしも２次元モードでも設定可能とする必要はない。例えば、２次元モード時でも、３次元モード時でも使うことがＮＲ処理に加えて、３次元モード時のみ使うことができるＮＲ処理を用意することにより、３次元モード時に設定するＮＲ処理の強度を、２次元モード時に設定するＮＲ処理の強度よりも強く設定する構成としてもよい。
【００７６】
このように、３次元モード時に設定するＮＲ処理の強度を、２次元モード時に設定するＮＲ処理の強度よりも強くすることにより、圧縮歪みによって発生する３Ｄ映像視聴時に感じる違和感を低減することが可能となる。
【００７７】
＜１−４．まとめ＞
本実施形態におけるテレビ装置１は、映像信号を３次元形式または２次元形式で再生するテレビ装置１であって、映像信号に対してノイズリダクション処理（以下、ＮＲ処理と称す）するNR処理部２０３と、映像信号の再生形式を２次元形式または３次元形式に設定する制御部２０１と、前記NR処理部２０３は、３次元形式に設定して映像信号を再生するときにノイズリダクション処理する場合、同じ映像信号を２次元形式で再生するときにＮＲ処理する場合よりも強くＮＲ処理する。
【００７８】
このようにすれば、映像信号を３次元形式で再生する場合と、２次元形式で再生する場合とでNR処理の強度を変更することが出来る。特に、同じ映像信号を再生する場合、２次元形式で再生する場合に比べて３次元形式で再生する場合のほうがNR処理の強度を強くすることが出来る。これにより、NR処理を行っている２次元形式で再生している映像信号を３次元形式の再生に変更したとしても、違和感なく映像信号を３次元形式で認識することが可能となる。
【００７９】
また好ましくは、前記NR処理部２０３は、ＮＲ処理の強度が異なる複数のＮＲモードを有し、各ＮＲモードは、映像信号を２次元形式で再生する際に第１の強度でＮＲ処理するモードおよび映像信号を３次元形式で再生する際に第１の強度よりも強い第２の強度でＮＲ処理するモードを備える。
【００８０】
このようにすれば、映像信号を表示する際、ユーザは段階的にNR処理の強度を変更することが出来る。さらに、各モードにおいて、同じ映像信号を再生する場合、２次元形式で再生する場合に比べて３次元形式で再生する場合のほうがNR処理の強度を強くすることが出来る。これにより、ユーザが映像信号を３次元形式で視聴した際に感じる違和感の程度に応じて、NR処理の強度を調整することが可能となる。
【００８１】
また好ましくは、第２のＮＲモードが備える３次元モードのＮＲ処理の強度は、当該第２のＮＲモードに設定されるＮＲ処理の強度よりも強い第１のＮＲモードが備える２次元モードのＮＲ処理の強度よりも弱い。
【００８２】
このようにすれば、大局的にＮＲ処理の強度を設定した後、当該設定したＮＲ処理の強度を基準に２次元形式と３次元形式とでＮＲ処理の強度を変更することが出来る。これにより、ユーザが映像信号を２次元形式から３次元形式に変更したとしても、大きく映像信号の画質を変更することなく、映像信号を３次元形式で再生することができる。
【００８３】
前記NR処理部２０３は、複数のＮＲモーを有し、さらに前記NR処理部２０３は、再生形式が２次元形式から３次元形式に変更された場合、２次元形式におけるＮＲモードよりもＮＲ処理の強度が強いＮＲモードに変更する。
【００８４】
このようにすれば、ユーザは再生形式を２次元形式から３次元形式に変更するだけで、ＮＲ処理の強度を自動的に調整することが出来る。これにより、NR処理を行っている２次元形式で再生している映像信号を３次元形式の再生に変更した場合、ユーザは３次元形式に適した映像信号を自動的に視聴することが可能となる。
【００８５】
また好ましくは、前記NR処理部２０３は、前記映像信号を３次元形式で再生するときにＮＲ処理をＯＦＦからＯＮにする。
【００８６】
このようにすれば、２次元形式でＮＲ処理がＯＦＦになっている場合であっても、３次元形式に変更した場合、ＮＲ処理をＯＮにすることができる。これにより、ユーザが映像信号を３次元形式で再生した際に初めて認識するような圧縮歪み等に対して、自動的に対応することが可能となる。
【００８７】
また好ましくは、前記NR処理部２０３は、ノイズリダクション処理の強度が異なる複数のＮＲモードを有し、さらに前記NR処理部２０３は、ＮＲ処理をＯＮにした場合、前記複数のＮＲモードのうちＮＲ処理の強度が最も弱いＮＲモードを設定する。
【００８８】
このようにすれば、ユーザが映像信号を２次元形式から３次元形式に変更したとしても、大きく映像信号の画質を変更することなく、映像信号を３次元形式で再生することができる。
【００８９】
（その他の実施形態）
以上、本実施形態の形態について説明したが、本発明はこれに限定されるものではない。
【００９０】
例えば、本実施形態においては、３次元モードであるか、２次元モードであるかを、ユーザがリモコン装置２を用いて指定する構成とした。ここで、放送波を受信して得られた番組情報にしたがって、３次元モードであるか、２次元モードであるかを設定してもよい。また、入力ストリームを復号した時に得られる、入力ストリームのヘッダ情報などの符号化情報から設定してもよい。また、３Ｄ映像がサイドバイサイド方式である場合は、左目用の画像データと、右目用の画像データについてマッチング処理を実行し、得られた相関度によって、設定してもよい。
【００９１】
また、本実施の形態においては、ブロック歪みの境界にフィルタ処理を施す方法を例に挙げた。ここで、超解像処理、エッジ強調処理などの強度を変更するように構成してもよい。ただし、超解像処理、エッジ強調処理などの場合、３次元モード時は２次元モード時よりも、強度を小さくなるように設定する。
【００９２】
また、本実施の形態においては、ユーザは、リモコン装置２を操作することにより、ＮＲ処理の強度を変更することができると説明した。ここで、２次元モード時のＮＲ処理の強度と、３次元モード時のＮＲ処理の強度を、独立に変更することができるように構成してもよい。この場合、３次元モード時のＮＲ処理の強度が、２次元モード時のＮＲ処理の強度よりも小さい設定に変更された場合、画面に警告メッセージを表示するように構成してもよい。また、３次元モード時のＮＲ処理の強度が、初期設定の強度よりも小さい設定に変更された場合、画面に警告メッセージを表示するように構成してもよい。
【００９３】
また、テレビ装置において、３Ｄ安全モードを設け、３Ｄ安全モードがオンの場合に、本実施形態における動作を実施させ、３Ｄ安全モードがオフの場合は、３Ｄ映像と２Ｄ映像で選択できるＮＲモードを区別しないという構成にしてもよい。
【００９４】
また、本実施形態においては、テレビ装置として構成した場合を説明したが、本発明は、３Ｄ映像と２Ｄ映像の両方を撮影できるビデオプレイヤーやビデオカメラなどの映像再生装置として構成することもできる。
【００９５】
なお、本実施形態は、映像再生装置が具備する各手段を各ステップとする映像再生方法や、映像再生装置が具備する各手段を備える映像再生集積回路、および映像再生方法を実現することができる映像再生プログラムを提供することも可能である。
【００９６】
そして、この映像再生プログラムは、ＣＤ−ＲＯＭ（Ｃｏｍｐａｃｔ  Ｄｉｓｃ−Ｒｅａｄ  Ｏｎｌｙ  Ｍｅｍｏｒｙ）等の記録媒体やインターネット等の通信ネットワークを介して流通させることができる。
【００９７】
また、映像再生集積回路は、典型的な集積回路であるＬＳＩとして実現することができる。この場合、ＬＳＩは、１チップで構成しても良いし、複数チップで構成しても良い。例えば、メモリ以外の機能ブロックを１チップＬＳＩで構成しても良い。なお、ここではＬＳＩとしたが、集積度の違いにより、ＩＣ、システムＬＳＩ、スーパーＬＳＩまたはウルトラＬＳＩと呼称されることもある。
【００９８】
また、集積回路化の手法はＬＳＩに限るものではなく、専用回路または汎用プロセッサで実現してもよいし、ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。
【００９９】
さらに、半導体技術の進歩または派生する別技術により、ＬＳＩに置き換わる集積回路化の技術が登場すれば、当然、その技術を用いて機能ブロックの集積化を行ってもよい。例えば、バイオ技術の適応等がその可能性として有り得ると考えられる。
【０１００】
また、集積回路化に際し、各機能ブロックのうち、データを格納するユニットだけを１チップ化構成に取り込まず、別構成としても良い。
【産業上の利用可能性】
【０１０１】
本発明に係る映像再生装置は、ユーザが快適に３Ｄ映像を視聴することができるように、映像信号にＮＲ処理を行い、表示することができるため、デジタルテレビ、ビデオプレイヤー、パーソナルコンピュータ、携帯電話機等に適用できる。
【符号の説明】
【０１０２】
１  テレビ装置
２  リモコン装置
３  ＢＤディスク
４  ＨＤＤ装置
５  ＳＤカード
６  アンテナ
１０１  ドライブ装置
１０２  入出力ＩＦ部
１０３  チューナ
１０４  信号処理部
１０５  受信部
１０６  バッファメモリ
１０７  フラッシュメモリ
１０８  ディスプレイ
２０１  制御部
２０２  再生処理部
２０３  ＮＲ処理部
２０４  画面生成部
【図１】
2012089962.tif 000003
【図２】
2012089962.tif 000004
【図３】
2012089962.tif 000005
【図４】
2012089962.tif 000006
【図５】
2012089962.tif 000007
【図６】
2012089962.tif 000008